(57)【要約】【課題】  既存のドアに電源ラインを取り付けなくてもよいようにする電気式施解錠装置を提供する。【解決手段】  ドアを自己保持型ソレノイド８１１によりデッドボルト８００を作動させて解錠または施錠する電気体式施解錠装置は、電力を、非接触に外部から電磁誘導用のコイル８１２から外部に突出可能なデッドボルト８００、または、鉄心９０２及び９１０を介してコイル８０８より得て、コンデンサに充電する。【選択図】図８
2009162009.tif 000002
【特許請求の範囲】
【請求項１】
ドア内に、電力による駆動力によりドアの解錠または施錠する施解錠手段を備える電気体式施解錠装置において、
ドア内に充電手段を備え、
前記施解錠手段によって解錠または施錠するための駆動力となる電力を、外部から電磁誘導にて前記充電手段に充電し、前記電磁誘導は、ドア及びドアと隣接する隣接部の少なくとも一方から突出した突出部を介してなされることを特徴とする電気式施解錠装置。
【請求項２】
前記突出部は、前記ドア及び前記隣接部の少なくとも一方から突出方向に伸縮可能な伸縮手段を介して突出することを特徴とする請求項１記載の電気式施解錠装置。
【請求項３】
ドア内に、電力による駆動力によりドアの解錠または施錠する施解錠手段を備える電気体式施解錠装置において、
ドア内に充電手段を備え、
前記施解錠手段によって解錠または施錠するための駆動力となる電力を、自己発電にて前記充電手段に充電することを特徴とする電気式施解錠装置。
【請求項４】
前記自己発電は、ドアノブの操作駆動力またはドアの開閉駆動力を電力に変換することを特徴とする請求項３記載の電気式施解錠装置。
【請求項５】
前記自己発電は、太陽光発電により電力を得ることを特徴とする請求項３乃至４いずれか記載の電気式施解錠装置。
【発明の詳細な説明】
【技術分野】
【０００１】
本発明は電気式施解錠装置に関し、特に施解錠の駆動力となる電力の充電機構に関する。
【背景技術】
【０００２】
従来、例えば特許文献１の電気式解錠装置は、ＡＣ１００Ｖで充電しておき、その充電した電力を駆動力に変換して解錠している。また特許文献２及び特許文献３の電気式施解錠装置では、コイル（特許文献３の場合８ａ、８ｂ）を介して電磁誘導によって電源部に電源が供給される技術が開示されている。
【特許文献１】特許３２７７２３８
【特許文献２】特開平１０−２５９３５
【特許文献３】特開２００３−１８４３６９
【発明の開示】
【発明が解決しようとする課題】
【０００３】
上記の如くの特許文献１では、例えばホテルにおいては、ドアに電気錠を設ける場合ドアに電気錠を施解錠する駆動電源として外部より電源ラインを取り付けなければならず、既存のドアを加工する場合、ドアが稼働するので電源ラインが外部に露出してしまうとか、工事代金が高くなってしまうという問題が発生する。また特許文献２、３に開示される電磁誘導によって内部の電池に充電する場合、コイル間の距離が遠い程、磁場の強さがその距離の２乗に比例して弱くなる。そこで、一般的にドアとドア間の隙間は、１０ｍｍ程度あり、通常のＡＣ１００Ｖ電源では電磁誘導による有効な電源供給を行うことができないと言う問題が発生する。またドアと、ドア枠または壁との距離が密接する、蝶番部に、上記電源供給側コイルと電源受信側コイルを設けるようにすると、既存のドア内を蝶番の付近からデッドボルト付近に配設される電気錠まで貫通させる職人芸的施工をしなくてはならず、その施工をできるか否かは職人次第であり、施工費用も高額となるという問題が生じる。
【０００４】
本発明は、このような事情に鑑みてなされたもので、既存のドアに電源ラインを取り付けなくてもよいようにするとともに、電源を供給するための充電手段への充電効率を高めることを目的とする。
【課題を解決するための手段】
【０００５】
本発明の電気式施解錠装置は、ドア内に、電力による駆動力によりドアの解錠または施錠する施解錠手段を備える電気体式施解錠装置において、ドア内に充電手段を備え、前記施解錠手段によって解錠または施錠するための駆動力となる電力を、外部から電磁誘導にて前記充電手段に充電し、前記電磁誘導は、ドア及びドアと隣接する隣接部の少なくとも一方から突出した突出部を介してなされることを特徴とする。
【０００６】
この発明によれば、施解錠手段によって解錠または施錠するための駆動力となる電力を、外部から電磁誘導によってドア内の充電手段に充電するので、ドアに電源ラインを取り付けなくてもよく、さらに電磁誘導は、ドア及びドアと隣接する隣接部の少なくとも一方から突出した突出部を介してなされるので、電磁誘導される空間距離が少ないので充電効率が極めて高い。
【０００７】
また本発明の電気式施解錠装置は、前記突出部は、前記ドア及び前記隣接部の少なくとも一方から突出方向に伸縮可能な伸縮手段を介して突出することを特徴とする。
【０００８】
この発明によれば、突出部は、ドア及び隣接部の少なくとも一方から突出方向に伸縮可能な伸縮手段（バネ等）を介して突出するので、ドアの取り付け寸法のバラツキを伸縮手段が吸収してより密接した電磁誘導される空間距離とすることができるので充電効率がさらに高い。
【０００９】
また本発明の電気式施解錠装置は、ドアを電力による駆動力により解錠または施錠する施解錠手段とを備える電気体式施解錠装置において、前記施解錠手段によって解錠または施錠するための駆動力となる電力を、自己発電にて充電することを特徴とする。
【００１０】
この発明によれば、施解錠手段によって解錠または施錠するための駆動力となる電力を、自己発電にて充電するので、ドアに電源ラインを取り付けなくてもよい。
【００１１】
また本発明の電気式施解錠装置は、さらに、前記自己発電は、ドアノブの操作駆動力またはドアの開閉駆動力を電力に変換することを特徴とする。
【００１２】
この発明によれば、自己発電は、ドアノブの開閉駆動力またはドアの開閉駆動力を電力に変換するので実現できる。
【００１３】
また本発明の電気式施解錠装置は、前記自己発電は、太陽電池により電力を得ることを特徴とする。
【００１４】
この発明によれば、自己発電は、太陽電池により電力を得るので実現できる。
【発明の効果】
【００１５】
本発明によれば、外部から電磁誘導にて非接触に充電するとか、自己発電により充電ので、ドアに電源ラインを取り付けなくてもよく、さらには電源を供給するための充電手段への充電効率を高めるという効果を奏する。
【発明を実施するための最良の形態】
【００１６】
以下、本発明の一実施形態による記録媒体式施解錠装置、記録媒体式施解錠装置の及び記録媒体式施解錠システムを、図面を参照して説明する。図１は記録媒体式施解錠システムの構成を示すブロック図である。この図において、符号１は、記録媒体式システムである。符号２は登録装置である。符号３は、管理装置である。符号４はチェックイン端末である。符号５はルーム管理装置である。符号６はプリペイド入金及びポストペイド入金におけるカウンタ入金装置である。符号７は本発明の記録媒体式施解錠装置７１を含む客室制御システムである。符号８はフロア管理装置である。符号９は各フロアに設けられたプリペイド入金及びポストペイドによる入金を受け付けるフロア入金受付装置である。符号１０は外線電話料金課金装置である。符号１１はホテル内のテナント施設使用時にその料金を課金するテナント端末である。記録媒体式施解錠システム１は、上記各装置が通信可能に有線乃至無線で接続されている。
【００１７】
本実施形態の記録媒体式施解錠システム１においては、上記各装置間はＬＡＮで接続されているが、フロア管理装置８、管理装置３、ルーム管理装置５の間の通信回線については、フロア管理装置８と他のそのフロアに存在する装置の間の通信回線の通信速度より高速な通信回線を利用するようにしてもよい。この場合、無線通信によって低速でデータ収集したフロア管理装置８の収集データを、リアルタイム性を維持しつつ、管理装置３、ルーム管理装置５が受信して、記録、管理、集計することができる。
【００１８】
登録装置２を構成する登録コンピュータ２１、管理装置３を構成する管理コンピュータ３１、チェックイン端末装置４、ルーム管理装置５を構成するルーム管理コンピュータ５１、カウンタ入金装置６、記録媒体式施解錠装置７１及び記録媒体式施解錠装置７１を含む客室制御システム７、フロア管理装置８、フロア入金受付装置９、外線電話料金課金装置１０、テナント端末１１は、制御部として夫々１乃至複数のＣＰＵを搭載し、記録部としてＲＡＭ、ハードディスクを備え、他の装置との信号授受をするための入出力ＩＦ（インターフェース）回路及び通信ＩＦ回路（この実施の形態ではＬＡＮインターフェース、以後、夫々入出力ＩＦ、通信ＩＦと記載する。以後インターフェース回路を単にＩＦと記載する）を備える。通常、ＣＰＵとＲＡＭ、ＲＯＭはアドレスバス及びデータバスで接続されるか、ＣＰＵ内部に内蔵して制御部を構成し、記録部として接続されるハードディスクはＵＳＢ等の接続インターフェースにより接続され、入出力ＩＦはＣＰＵの端子であるポートや、インピーダンス変換等の必要な場合にはＣＰＵバス接続されたＩＦ回路の端子の前段にオペアンプやゲート回路にて受けて入力される。通信ＩＦとは夫々の専用ＩＣを所定の規則に従った回路でＣＰＵと接続される。
【００１９】
チェックイン端末装置４、カウンタ入金装置６、記録媒体式施解錠装置７１、フロア入金受付装置９、テナント端末１１は、印刷されたＱＲコードを画像情報として光学的に読み取るＣＣＤカメラを内蔵しており、読み取ったＱＲコードに基づいた各種制御をルーム管理装置５と通信して行う。ここで、実際には、チェックイン端末装置４、カウンタ入金装置６、記録媒体式施解錠装置７１、フロア入金受付装置９、テナント端末１１は、読み取ったＱＲコードを所定の規則に従ってＩＤ情報（実際には文字情報ながら、以降カードキーによる客室の施解錠可能か否かを判断するためのＩＤ情報と呼ぶことにする。）に変換する機能を搭載しており、各種機器間の通信は、変換されたＩＤ情報に基づいた各種制御をルーム管理装置５と通信して行う。またなお、本実施形態のＱＲコードを印刷したＱＲコード部２５以外の記録媒体としては、バーコード等の光学的に読み取り可能な画像を印字されたレシート、カード等のプラスチックや紙等で形成された紙葉類、内蔵ＲＦＩＤや磁気層を記録部として備えたカード、ＩＣコイン等が例示でき、それぞれＩＤ情報を特定可能な情報を読み取り可能である。
【００２０】
まず本発明における記録媒体式施解錠装置を含んだ記録媒体式施解錠システムの大概要を説明する。客が登録装置２で登録する際、ＱＲコードを印刷した、カードキーとなるＱＲコード部２５を発行して、記録媒体式施解錠装置７１において施錠及び解錠可能にするとともに、ＱＲコード部２５を記録媒体式施解錠装置７１に客室の内から挿入すると客室内の電気機器の電源ＯＮとしたり、各種サービスを受けることができる。またフロア入金受付機９、カウンタ入金装置６によりプリペイド或いはポストペイドによって入金された分の度数（有価価値情報であり、金額に換算することができる。以後度数と記載する。）をＩＤ情報に対応付けて付与し、記録媒体式施解錠装置７１においてＱＲコード部２５を客室の内から挿入すると上記客室内のサービスとして度数を引き落として有料サービスを受けることができる。またカウンタ入金装置６でチェックアウト時に請求書及び領収書６１を発行するとともにポストペイドによって生じた不足金としての度数のマイナスがあれば入金を受け付けて精算可能であり、プリペイドによって生じた残金としての度数のプラスがあれば返金して精算可能である。勿論、記録媒体式施解錠システム１としての運用を、ルーム管理装置５に対する指示によって、プリペイドのみ、あるいはポストペイドのみを選択することも可能である。
【００２１】
次に本発明における記録媒体式施解錠装置を含んだ記録媒体式施解錠システムについての概要を説明する。登録装置２はホテルの正面玄関近傍のカウンタに備えられ、チェックイン時の登録を受け付ける装置であり、宿泊客はホテルに到着するとまずこの登録装置２において登録を受け付ける。登録装置２においては、客がデジタルペン２２で予め用意されたＱＲコードの印刷された登録カード２３（記録媒体の１例）に住所氏名年齢連絡先等の登録情報（筆跡、例えば住所、電話番号、前泊地、翌日の宿泊予定地、パスポート番号等）を記入するとその筆跡情報がデジタルペン２２からの無線信号を受けることで登録コンピュータ２１に入力される。登録コンピュータ２１では入力された登録情報（筆跡）を記憶部に記憶する。登録カード２３は上下の間にミシン目の切り込みがなされ、切り込みに従い上側の実筆部２４と下側のＱＲコード部２５とが切り離し可能である。切り離したＱＲコード部２５をチェックイン端末４に挿入するとチェックイン端末装置４はＱＲコードを読み取り、登録コンピュータ２は、受信したチェックイン端末装置４の読み取ったＱＲコードから変換したＩＤ情報と、無線通信で受信した登録情報（筆跡）等のチェックイン情報を、ルーム管理装置５に送信する。ルーム管理装置５は、受信したＩＤ情報と予約情報（管理装置３から受信）とから適切な客室を選択して、ＩＤ情報に対応付けて予約情報、客室番号、登録情報（筆跡）を記録部に記録する。実筆部２４はカウンタにいるホテル従業員に渡され、個人情報漏洩防止のため該当宿泊客のチェックアウト後破棄する。なお、登録装置２は、個人情報保護のためスタンドアロンにてネットワークに接続しない形態をとってもよい。この場合記録媒体式システム１で処理する登録情報が一部限定されることになる。
【００２２】
管理装置３は、予約、滞在中、チェックアウト済みか否かの情報（以下ステータス情報と呼ぶ）を客毎に管理し、売上集計を行う装置である。管理装置３では電話番号や氏名から客を特定して客に関する情報を表示する。管理装置３は、管理コンピュータ３１と管理端末３２にからなり、ホテルのフロントまたは制御室に設けられる。管理装置３ではチェックイン端末４でＱＲコードを読み取った際に、登録装置２を介してチェックイン端末４からの指示に基づきステータス情報をホテルの予約の状態から滞在状態（チェックイン状態とも言う）に書き換えて記憶し、カウンタ入金装置６からの精算情報または登録コンピュータ２１からの精算情報を受けるとステータス情報を滞在状態からチェックアウト状態に書き換えて記憶する。またステータス情報が滞在中であれば、管理装置３は、入力された指示に基づき、客室番号、氏名、電話番号等から客を特定して、ルーム管理装置５から受信して、ルーム管理装置５で記録して管理される宿泊料金、客室毎の有料ＴＶ等やテナント端末１１からのサービス提供に伴う売上情報、フロア入金受付装置９やカウンタ入金装置６からの入金情報、現在の度数、外線電話料金、ステータス情報等を各種機器から受信して表示する。そしてチェックアウト時におけるカウンタ入金装置６からの精算状況を受けてステータス情報を滞在状態からチェックアウト状態とし履歴情報として後程表示可能に記録管理する。管理装置３では他に、指示に基づき、管理端末３２において客からの予約受け付けや予約希望の客の指定する宿泊希望日の空室状況の確認のための表示、ステータス情報の表示、が可能である。また、指示に基づき、各部屋毎、各フロア毎、各売上項目毎の売上集計を、日単位、週単位、月単位、１／４年単位、半年単位、年単位、３年単位、５年単位、１０年単位での集計結果を表示することが可能である。なお、ルーム管理装置５、管理装置３は１のコンピュータで構成してもよく、複数のコンピュータで構成される場合には、一方の機能を他方で適宜選択して実施することもできる。ネットワーク上のいくつかの複数のコンピュータは、１のコンピュータで構成することもできる。
【００２３】
ルーム管理装置５は、概して客室を管理する装置であり、やや詳細には、客室毎のカードキーとして機能するＱＲコード部２５によって施解錠可能とするための管理、各種サービスを提供するための客室毎の度数の管理をする装置である。ルーム管理装置５は、ルーム管理コンピュータ５１とルーム管理端末５２にからなり、ホテルの制御室に設けられる。ルーム管理装置５は、チェックイン端末４において読み取ったＱＲコード情報を変換したＩＤ情報を受信すると、フロア管理装置８、８１、８２（各階や所定範囲のフロア毎に担当する）に送信し、フロア管理装置８、８１、８２は、ＩＤ情報に対応して割り当てられた客室に存在する記録媒体式施解錠装置７１にＩＤ情報を無線通信によって送信し、記録媒体式席解錠装置７１が受信したＩＤ情報に合致するＱＲコードを読み取ると施解錠可能にする。またルーム管理装置５では、ＩＤ情報に割り当てられた有価価値として度数を記憶する。度数はチェックイインに際してはカウンタ入金装置６、滞在中の追加入金としてフロア入金受付装置９でプリペイドにて入金されるとその分の度数を上記６、９が読み取ったＱＲコードを変換したＩＤ情報に対応付けて加算して記録する。また、記録媒体式施解錠装置７１、テナント端末１１において提供されたサービス料分の度数を上記７１、１１が読み取ったＱＲコードを変換したＩＤ情報に対応付けて減算して記録する。そしてチェックアウトの際、カウンタ入金装置６が請求書及び領収書６１を発行するとともにポストペイドによって生じた不足金としての度数のマイナスがあれば入金を受け付けて精算する際には、その旨の指示に基づき度数を０とし、プリペイドによって生じた残金としての度数のプラスがあれば返金して精算する際には、その旨の指示に基づき度数を０とする。なお返金に際しては、カウンタ入金装置６に内蔵した紙幣や硬貨を返金してもよいし、カウンタで従業員が手渡しで返金してもよい。
【００２４】
またルーム管理装置５は、指示に基づき、記録媒体式施解錠システム１としての運用を設定可能である。その運用として、プリペイドのみ、ポストペイドのみ、または、プリペイド及びポストペイド両方可能、を選択できる。また他の運用として、宿泊料金に係る宿泊料度数、サービス料金に係るサービス度数、を別々に客室（ＩＤ情報でもある）に対応付けて管理するのか、１の度数として管理するのかを選択できる。また他の運用として、客室内で提供されるサービス機器の利用に伴うサービス毎の課金額、ホテル内の施設の各所に設けられたテナント端末１１でのサービス毎の課金額を設定できる。またルーム管理装置５は、入退室履歴、客室ステータス情報（在室中か不在中か、チェックアウトか、１３時迄に清掃指示、通常清掃指示、清掃中、清掃完了、検査依頼、検査完了、予約受付可指示、ドンデス（起こさないで）指示）、ポイント、レンタルパソコン貸出、朝食有無、夕食有無、昼食有無、マッサージ希望、ランドリー希望、通信料等の客室情報を記憶管理する。
【００２５】
客室制御システム７は、客室に設けられ、ドアに取り付けられた記録媒体式施解錠装置７１、ＴＶ７２及びＴＶコントローラ７３（有料番組、カラオケ等）・エアコン・冷蔵庫、各種電灯（図示せず）・その他のサービス機器（図示せず、マッサージ機、電動式マージャン卓、キッチン、ルームサイクル、ルームランナー等）等のサービス機器からなる。客室制御システム７は、記録媒体式施解錠装置７１に挿入されたＱＲコード部２５のＱＲコード情報に基づき客室の錠前を施解錠したり、各種サービス機器を制御し、そのサービス機器の利用が有料であれば、客室（ＱＲコードでもある）に対応付けて管理される度数を減算するようルーム管理装置５と通信する。前記記録媒体式施解錠装置７１がルーム管理装置５からフロア管理装置８、８１、８２を介してＩＤ情報を受信した場合には、ＱＲコード部２５を新たに受け付けると、受信したＩＤ情報と新たに受け付けたＱＲコード部２５のＱＲコードの文字情報が合致すれば、入室時の解錠、退室時の施錠（オートロックであれば自動施錠されるので不要）が可能となる。また入室によって入室信号を、退室によって退室信号を、ルーム管理装置５に出力する。ほかに、入退室に伴ってエアコンや電灯等の電気機器及びＴＶ７２、ＴＶコントローラ７３、客室冷蔵庫等の種々のサービス機器に対し制御が可能となる。その制御の例として例えば、ＴＶ７２においてＴＶコントローラ７３を介して提供される、配達される飲食物の注文受け、有料ＴＶ（カラオケ、ゲーム、映画等の配信）、他には冷蔵庫内の飲食物の提供等のサービスが受けられ、客室（ＱＲコードでもある）に対応した度数を引き落とすようルーム管理装置に指示する。当該指示を受けるとルーム管理装置５は、同じく受信したＩＤ情報に対応して記憶され、サービス分の度数をルーム管理装置５に記憶される度数から減算更新する。
【００２６】
カウンタ入金装置６は、登録装置２同様、ホテルの正面玄関近傍のカウンタに備えられ、チェックインの際の入金受け付け、チェックアウトの際の精算処理（残度数の返金、不足度数の入金）をする装置である。カウンタ入金装置６は、随時、入金を受け付け可能であり、入金を受けると同じく受け付けたＱＲコード２５に対応させて、入金分の度数をルーム管理装置５に管理される度数に加算更新する。チェックアウトに際してはポストペイドによって度数の不足がある場合に入金を受け付けて精算することが可能であり、度数に余剰がある場合に度数分の金額を返金して精算することが可能であり、精算時に請求書及び領収書６１を発行する。
【００２７】
フロア入金受付装置９は、入金装置６と同様の機能ながら、返金処理機能と、請求書及び領収書６１の発行機能がない装置である。フロア毎に配置されるので各客室からそう遠くない距離を歩けば随時追加入金しに行くことができる。
【００２８】
外線電話料金課金装置１０は、客室からの外線電話料金を、外部の電話会社の所有する電話料金通知コンピュータから受信した電話料金に、設定画面の指示に従って適宜に設定された設備費を上乗せ（上乗せしないことも選択可能）して計算し、外線電話料金分を正または負の有価価値である度数を引き落とす。この度数はルーム管理装置５において管理され、記録媒体式施解錠装置７１に客室内から挿入されたＱＲコード部２５に印字されたＱＲコードを変換したＩＤ情報に対応させて、ルーム管理装置５で管理する度数から外線電話料金分の度数を減算更新されて記憶される。
【００２９】
テナント用端末１１ではホテル内の居酒屋、床屋、ゲームセンタ、温水プール、浴場、及びショータイム等の有料サービスに掛かる費用分の度数を、受け付けたＱＲコードを変換したＩＤ情報に対応させて、ルーム管理装置５で管理する度数から減算更新する。
【００３０】
次に、本実施の形態における記録媒体式施解錠装置７１、記録媒体式施解錠装置７１を含んだ客室制御システム７、及び記録媒体式施解錠システム１の詳細を説明する。
【００３１】
記録媒体式施解錠システム１における登録装置２について説明する。ホテルに到着するとまずこの登録装置２において登録を受け付ける。登録装置２は、登録コンピュータ２１とデジタルペン２２からなる。客がデジタルペン２２で予め用意されたＱＲコード付き登録カード２３（記録媒体の１例）に住所氏名年齢連絡先等の登録情報を記入するとその情報が登録コンピュータ２１にデジタルペン２２から発信される無線通信にてその筆跡情報が入力される。登録カード２３は、図２に示す如くの実筆部２４として客の記入する顧客情報記入部２４１、カウンタにいるフロント係が記入する店員記入部２４２、案内２４３、図３（図２の登録カード２３の裏面側）に示す如くの客の記入する客の禁煙部屋希望なのか喫煙可能な部屋を希望なのか備品として何を希望するのか等の嗜好情報記入部２４４、フロント係の記入する記入確認の旨の入力済みチェック部２４６、客が記入するネームプレート２４５、及びカードキーとなる記録媒体であるＱＲコード２５１が予め印字されたＱＲコード部２５で構成され、顧客情報記入部２４１、店員記入部２４２、案内２４３、嗜好情報記入部２４４、ネームプレート２４５、及びＱＲコード部２５はそれぞれ分離可能である。チェックイン端末装置４が、所定の装置で切断するように構成してもよい。
【００３２】
登録コンピュータ２１では制御部が、デジタルペン２２で入力された顧客情報記入部２４１、店員記入部２４２、嗜好情報記入部２４４、及びネームプレート２４５に記載された文字情報を字体の画像情報をデジタルペンの経過時間に対応した位置情報により筆跡としての登録情報として記憶部に記憶する。登録カード２３は上下の間にミシン目の切り込みがなされ、切り込みに従い上側の実筆部２４としての嗜好情報記入部２４４と下側のＱＲコード部２５とが切り離し可能である。切り離したＱＲコード部２５をチェックイン端末４に挿入するとチェックイン端末装置４はＱＲコードを読み取る。なお実筆部２４としての顧客情報記入部２４１はカウンタにいるホテル従業員に渡され、数年間ファイルに保存される。
【００３３】
チェックイン端末装置４について説明する。図４はチェックイン端末装置４の正面斜視図である。図４に示す如く、チェックイン端末装置４は、ＱＲコード２５を挿入するための挿入孔４１、ボタンとしてチェックインボタン４４、クーポンボタン４２、有料ＴＶ視聴不可を指示する有料ＴＶ視聴不可ボタン４３、表示部としてルーム番号表示部４７、チェックアウト予定日表示部４６、予約金額表示部４５を備え、をチェックイン端末４の側面に備える。またチェックイン端末装置４の内部には、ＣＰＵと、プログラムを記憶したＲＯＭ、一時データを記憶するＲＡＭ、からなる制御部と、ハードディスクやＲＡＭからなる記録部と、ルーム管理装置５とのデータ送受信のための通信ＩＦ（本実施の形態ではＬＡＮインターフェース回路を採用する。）、ＱＲコードリーダ、上記ボタンに対応するボタン入力ＩＦ、上記表示部に対応する表示制御を行うための表示ＩＦ、これらの駆動電力を供給するための電源回路を備える。
【００３４】
チェックイン端末装置４の制御部は、通信ＩＦ、ＱＲコードリーダ、ボタンＩＦ、表示ＩＦと接続され、入力及び/または出力されて制御する。電源をＯＮとすると制御部ではＲＯＭに記録されたプログラムを実行ステップ毎に、またプログラムに従って設定データを順次読み出し、読み出したプログラムを順次実行する。実行されるプログラムに従い、適宜に上記各ＩＦからの信号を読み出し一時的な計算結果、読み出し情報等をＲＡＭに記憶する。そしてプログラムによるチェックインに伴う処理結果を、通信ＩＦを介して、管理装置３、ルームフロア管理装置５、及びフロア管理装置８、８１、８２へ送信し、これら管理装置からチェックインに必要な情報を受信する。
【００３５】
ボタン入力ＩＦはＣＰＵのＯＮ、ＯＦＦ入力を受ける入力ポートに接続される。表示ＩＦはＣＰＵのデータバスに接続されルーム番号表示部４７、チェックアウト予定日表示部４６、予約金額表示部４５に対応した３種のチップセレクト出力ポートからＯＮ信号を、同じくルーム番号表示部４７、チェックアウト予定日表示部４６、予約金額表示部４５に対応した３種のチップイネーブル端子に受けると、データバスのデータをラッチし、ラッチしたデータを上記３種のチップイネーブル端子の入力指示に従って、ルーム番号表示部４７、チェックアウト予定日表示部４６、予約金額表示部４５に７セグメントＬＥＤに数字として表示するようＬＥＤが点灯可能なＯＮ−ＯＦＦ信号に変換して表示する。通信ＩＦは、ＣＰＵのデータバスに接続され、ＣＰＵのチップセレクト出力ポートからのＯＮ信号をチップイネーブル端子に受けるとデータバスのデータをラッチして、ラッチしたデータに含まれる宛先の管理装置３、５、８、８１、８２へヘッダーとして含めたチェックイン処理結果をデータ化してＬＡＮ通信規格に従って送信する。
【００３６】
チェックイン端末装置４では、電源をＯＮとし、次いで客に手渡すカードキーとなるＱＲコード部２５を挿入孔４１に挿入すると、内蔵する光透過センサによって挿入の旨の信号を制御部に出力する。制御部では挿入の旨の信号を受けると、ＱＲコード２５１を内蔵するＣＣＤカメラ（図示しない）によって読み取るようにＱＲコードリーダに指示する。ＱＲコードリーダではＱＲコード２５１を画像情報として読み取り、制御部に画像情報を送信する。制御部では画像情報をＲＡＭに記憶し、ＲＯＭに記憶された画像情報をＩＤ情報に変換して再びＲＡＭに記憶後、各ボタン４４、４２、４３の入力待ちの待機状態をとる。またその後、有料ＴＶ視聴不可ボタン４３が押されると、有料ＴＶを見ない客である旨の有料ＴＶ視聴不可情報をＲＡＭに記憶する。またクーポンボタン４２が押されると、旅行代理店に既に入金済みの客であるので、クーポン客である旨のクーポン客情報をＲＡＭに記憶する。
【００３７】
次いでチェックインボタン４４が押されると、チェックイン端末装置４は、登録装置２に、ＩＤ情報、有料ＴＶ視聴不可情報、クーポン客情報、チェックイン完了の旨の情報、等のチェックイン情報を送信する。登録装置２（登録コンピュータ２１）では、チェックイン情報を受信すると記録部に記録するとともに、チェックイン登録画面が起動し、宿泊客の電話番号、氏名、及び住所、の内少なくとも１つである客情報をチェックイン登録画面に従っての従業員による書き込みを受け付けて、書き込み完了の旨のボタン入力を受けると、管理装置３に客を特定する為に客情報と、ステータス情報を予約状態から滞在状態に書き換える旨の書換指示と、予約時に入力した予約情報を送信する旨の送信指示を送信し、予約情報を登録装置２からの待ち受け状態になる。
【００３８】
管理装置３は、通信ＩＦが受信した書換指示を制御部が検知すると、ステータス情報を予約状態から滞在状態に書き換え、受信した送信指示に従って予約情報を客情報に基づき検索して特定し、その特定した予約情報を通信ＩＦを介して登録装置２（登録コンピュータ２１）に送信する。登録装置２（登録コンピュータ２１）では、制御部は、通信ＩＦが受信した予約情報、記録部に記録したチェックイン情報、及びデジタルペン２２で入力した登録情報、をルーム管理装置５に通信ＩＦを介して送信し、チェックインする客の宿泊する客室番号がルーム管理装置５から返信されるまで待ち受け状態となる。
【００３９】
ルーム管理装置５は、制御部が、通信ＩＦが受信した上記予約情報、チェックイン情報、及び登録情報を検知すると、これら情報を条件に、記録部に記録されている客室の情報から、その宿泊客に適した客室を検索して登録装置２に客室番号を通信ＩＦを介して返信し、次いで、チェックイン情報に基づき、検索した客室の記録媒体式施解錠装置７１に、その客室を管理するフロア管理装置８、８１、８２、のいずれかを介して通信ＩＦを介して送信し、記録媒体式施解錠装置７１がＱＲコード部２５を受け付けた際に施解錠可能とするとともに、有料または無料の各種サービスを受けることができるようにする。また登録装置２（登録コンピュータ２１）は、通信ＩＦが受信した客室番号を、入出力ＩＦを介して表示し、従業員は、その客室番号を客に告げることになる。
【００４０】
ルーム管理装置５は、制御部が、通信ＩＦが上記客室情報、予約情報、チェックイン情報、及び登録情報、等の客情報を受信したことを新たに検知すると、上記客室情報、予約情報、チェックイン情報、登録情報、客室番号、度数、ＩＤ情報等の客情報をＩＤ情報に対応付けて記録部に記憶する。
【００４１】
ここで客情報をＩＤ情報に対応付けて記憶するとは、１例として、１人（１室でもよい）の客情報の記録エリア領域長を例えば１０Ｋバイトとすると、全員の客情報の記録エリアの先頭アドレスから収容可能人数分×１０ｋバイトが全員の客情報の記録エリア領域長である。そして制御部は、客のチェックイン毎に上記各情報宿泊客全員に口座番号を割り当て記録部に記録する、上記先頭アドレスに１０ｋバイト×口座番号を加えたアドレスによって個々の客の記録エリアを指定し、個々の客についての１０ｋバイトの範囲内で割り当てた客情報夫々の項目を、該項目それぞれの記録部の記録エリアに記録する。また制御部は、操作に基づき表示ＩＦを介してモニタに、ＩＤ情報及び客室番号をルーム管理端末５２の画面表示させ、これら情報入力を検知すると、上記客情報の中から客室番号またはＩＤ情報に合致する客情報を検索して表示ＩＦを介してモニタに表示する。また制御部は、ネットワーク上の他の機器からの指示を、通信ＩＦを介して受けたことを検知すると、付随して送信された客室番号またはＩＤ情報により、同様に、客情報の中の度数情報等を検索して通信ＩＦを介して送信する。
【００４２】
またルーム管理装置５は、制御部が、上記検索にて客に適した部屋を割り当ててそのルーム番号を記録部における上記記録エリアに記録するとともにチェックイン端末装置４に通信ＩＦを介して送信する。また同制御部は、記録部に記録した、予約時に入力した予約情報の１つである予約金額の情報、チェックアウト予定日の情報を読み出してチェックイン端末装置に通信ＩＦを介して送信する。チェックイン端末装置４では制御部は、通信ＩＦを介して受信したこれら情報に基づいて、表示ＩＦに出力して、ルーム番号表示部４７にその客室Ｎｏを表示し、チェックアウト予定日表示部４６にチェックアウト予定日、予約金額表示部４５に予約金額を表示する。
【００４３】
またルーム管理装置５は、制御部が、通信ＩＦを介してチェックイン端末装置４から受信して記録部に記録した客情報を読み出して、クーポン客情報がある場合には、予約情報に基づきクーポン客であるか否かを照合し、クーポン客である場合には、既に宿泊料金を納入済みであるので、以下詳述する運用情報に従い、上記納入済み金額情報を利用できない度数として宿泊料金分の度数もさらに加えてルーム管理装置５に通信ＩＦを介して送信する。さらにクーポン客でない場合にも予約金額情報を利用できない度数として宿泊料金の一部としての度数に加えて記録部に更新しての記録をし、通信ＩＦを介してルーム管理装置５に送信する。
【００４４】
ルーム管理装置５は、随時、運用情報を設定可能である。図５（運用設定画面）に示す如く、ルーム管理装端末５２において、制御部が表示ＩＦを介して常時表示する、「運用設定」をマウス等でクリックして選択すると、ポストペイド有と無のチェックボックスＸ、プリペイド有と無のチェックボックスＹ、予約金、宿泊料金、設備費、管理費、サービス税、消費税、有料ＴＶ、温水プール、冷蔵庫内飲料、食事オーダー、冷暖房代、カラオケ、入湯料、ボーリング、貸しマージャン、貸しパソコン、黒板、貸しＴＶ会議システム、貸しキッチン等（表示されている文字）、任意設定であるｐ１、ｐ２、・・・夫々について、有料指定Ａ、使用可能度数Ｂ、共通度数指定Ｃ、グループ指定Ｄ、ポストペイドＥ、プリペイドＦ、が夫々表示ＩＦを介して表示する。これらチェックボックスにホテルの経営者が、チェックを入れて「入力完了」をクリックすると、このクリックを、入出力ＩＦを介して制御部が検知されることになり、検知によって記録部に運用情報として記録部に記録される。
【００４５】
なお任意設定であるｐ１、ｐ２、・・・は、そのｐ１、ｐ２、・・の文字をマウスでクリックすると、任意の文字をキーボード等にて入力可能である。このように例えば、こここに「バーベキュー」と入力すると、本記録媒体式施解錠システム１を導入後、ホテルの有料サービスとしてホテルのベランダでバーベキューを行うためのバーベキュー用の道具と材料を貸し出すサービスを追加する場合、ルーム管理装置５の端末５２において、ＴＶコントローラ７３を介してＴＶ７２に表示し、リモコンで選択可能なサービスとして「バーベキュー」と表示し、宿泊客が選択すると、度数を引き落とすことで、ルームサービスがバーベキューを運んで客に貸し出すような運用を追加することができる。なお有料サービスを追加するベランダの大きい部屋は限られているので、ルーム管理装置端末５２において、「バーベキュー」とＴＶコントローラ７３を介してＴＶ７２に表示して客が選択可能とする部屋番号を全体の部屋の中から指定可能に構成される。部屋番号を全体の部屋の中から指定すると、ルーム管理装置５の記録部に記録され、記録媒体式施解錠装置７１にＱＲコード部２５が挿入されると、挿入された記録媒体式施解錠装置７１の設置される部屋番号が、上記バーベキュー可能と指定された部屋番号であれば、ＴＶコントローラ７３を介してＴＶ７２に客が選択可能に表示し、客に「バーベキュー」を選択されれば、ルーム管理装置５の記録部に記録される客情報を更新して、バーベキューサービス分を度数から引き落とすよう客情報を更新する。
【００４６】
またなお、有料指定Ａは、チェック「ｖ」されるとそのサービスは有料と指定され、利用すると度数が引き落とされる。有料指定Ａをチェックしないと、他のＢ、Ｃ、・・・、Ｆの欄が入力不可の「−」マークが付され、マウスでその欄をクリックしても「ｖ」が付かない。また各種サービスのうち故障により利用できないサービスが部屋毎に異なる場合別の画面で有料指定解除する部屋番号を入力すると、有料指定から外される。使用可能Ｂは、チェック「ｖ」されると、度数の引き落としが可能となり、チェックされないとチェックアウト以外では引き落とし不可能な度数として処理される。共通度数指定Ｃは、チェック「ｖ」されると当該サービスを利用すると共通度数から引き落とされ、チェックしないとグループ指定Ｄで指定されたグループの度数から引き落とされる。
【００４７】
またグループ指定Ｄは、プルダウンメニューより他のサービスで指定したグループの度数から引き落とされ、グループ指定されなければ別個の度数として引き落とされる。なお、あるサービスで共通度数指定Ｃにチェック「ｖ」されていれば、そのサービスを利用時に共通度数から利用時に引き落とされ、通度数の利用を、ホテルの仕入れ先別、テナント別に異なる利用料金として集計することができる。共通度数指定Ｃにチェックされていなければ、別個の度数としてカウンタ入金装置６ｍ、またはフロア入金受付装置７において別途入金する必要がある。またサービス毎にポストペイドＥとプリペイドＦはチェック「ｖ」されると、ポストペイド、プリペイド可能な度数としての運用ができる。但し、ＸとＹ、ＥとＦは両方チェック「ｖ」可能なチェックボックスながら、Ｘのみのチェック「ｖ」された場合にはＥのみ選択可能となり、Ｙのみチェックされた場合にはＦのみ選択可能に制御する。またＹとＹの両方にチェックがない場合にはＥとＦ全てのサービスのチェックボックスが選択不可能に制御する。（図５）
【００４８】
ルーム管理装置５では、チェックイン端末装置４のチェックインボタン４４が押されると、予め用意された客室毎の口座（客室毎に割り当てられた記録部の所定記録領域）に、利用可能な度数と、利用不可能な度数とを０としてＩＤ情報とともに記憶する。また上記クーポン客である場合の前払いの宿泊料金分を利用不可能な度数として、当該口座に記憶する。また前払い予約金についても利用不可能な度数として、当該口座に記憶する。
【００４９】
ホテルの営業情報及び客毎の客情報を管理をするための管理装置３について説明する。管理装置３は、管理コンピュータ３１と管理コンピュータ３１の管理をするために表示あるいは指示をする管理端末３２（パソコン）にからなる。管理装置３の内部には、ＣＰＵとプログラムを記憶した半導体ハードディスク、一時データを記憶するＲＡＭからなる制御部と、ルーム管理装置５等とのデータ送受信のための通信ＩＦ（ここではＬＡＮインターフェース）、これらの駆動電力を供給するための電源回路を備える。半導体ハードディスクには、記録部として機能し全ての客についての客情報、即ち客毎のＱＲコード２５１の画像情報、デジタルペン２２で入力した登録情報、有料ＴＶ視聴不可情報、クーポン客情報、予約時に入力した予約情報、予約金額情報、納入済み金額情報、ホテルの予約の状態から滞在状態に書き換えたステータス情報、ルーム番号情報を記録する。
【００５０】
また管理装置３は、管理端末３２からの指示である、客からの予約受け付けに基づく記録部への記録や確認のための管理端末３２への表示出力、あるいはプリンターへの印字出力が可能である。また管理装置３では予約を電話やインターネットで受け付けることができ、電話での口頭による従業員が、予約日時、希望の部屋、宿泊料金、人数、食事の注文、等を入力し、当該客の上記客情報につての記録エリアを割り当てて、前記入力に従い記憶する。
【００５１】
また管理装置３では、全体、客毎、従業員によって任意に設定可能な客層（男、女、子供、年齢層別、宿泊地域、利用頻度）毎、曜日毎、連休と平常時毎、祝日と平常毎、部屋毎、フロア（階）毎、売上項目毎、の売上集計を、所望に指定された所定期間日単位、週単位、月単位、１／４年単位、半年単位、年単位、３年単位、５年単位、１０年単位で集計し、管理端末３２やプリンターにそれぞれの集計結果を出力することが可能である。また適宜に日時毎あるいは日時時刻毎に客からの予約、チェックイン、チェックアウト、その間の各売上、を履歴情報として記録部に記録し、管理端末３２やプリンターに全体、客毎、従業員によって任意に設定可能な客層（男、女、子供、年齢層別、宿泊地域、利用頻度）毎、曜日毎、連休と平常時毎、祝日と平常毎、部屋毎、フロア（階）毎、売上項目毎、の売上履歴を、所望に指定された所定期間日単位、週単位、月単位、１／４年単位、半年単位、年単位、３年単位、５年単位、１０年単位で管理端末３２やプリンターにそれぞれの集計結果を出力することが可能である。またこれらデータに基づきデータマイニング機能（データの深堀による分析であり、連休には家族連れが多く、注文としてなべが多く、通常時の土曜にはカップルが多く、スィーツの注文が多い等の結果を導き出す。）も搭載し、ホテル経営の一助とできる。そしてさらに税務署に届け出る財務諸表として、ＰＬ（損益計算書）、ＢＳ（貸借対照表）とその算出根拠となる固定資産の減価償却、人件費、光熱費、食品購入費、消耗品購入費、等各科目の履歴、集計結果を任意の期間で管理端末３２やプリンターにそれぞれの結果を出力することが可能である。
【００５２】
カウンタ入金装置６について説明する。カウンタ入金装置６は、チェックイン及びチェックアウト時の精算を行う。カウンタ入金装置６は、チェックインの際チェックイン端末装置にて発行したＱＲコード部２５が挿入可能であり、現金の入金及び返金が可能であり、チェックイン時及び随時のプリペイドによる入金分あるいは予めの予約金額分の度数の付与、チェックアウト時の残度数の返金を行うとともに請求書及び領収書６１の発行を行う。
【００５３】
カウンタ入金装置６は、外面に入金口（図示しない）、返金口（図示しない）、ＱＲコード２５を挿入する挿入口（図示しない）、タッチパネル式モニタ（図示しない）、請求書及び領収書６１の発行口（図示しない）を備える。またカウンタ入金装置６の内部には、制御部としてＣＰＵ、ダウンロードしたプログラム、及び演算途中の一時結果を記録するＲＡＭを備え、記録部としてハードディスク及びバックアップＲＡＭ（停電後１ヶ月データを保持する）、電源を供給する電源部を備え、入金口からの入金を受けてストックする入金ストッカーと、返金口へ返金するための現金を収納する現金収納庫を備え、ＱＲコード２５が挿入されたときにＱＲコードを読み取るＣＣＤカメラを備え、モニタに表示する表示ＩＦを備え、入金口から入金ストッカーの間には、搬送機構と、現金の真贋判定するビルバリ、他のルーム管理装置５等とネットワーク接続する通信ＩＦ、上記タッチパネルのタッチ位置に応じたボタン指示を検知するボタン入力ＩＦを備え、現金収納庫から返金口の間には、搬送機構を備え、発行口へ発行するレシート用紙であるロール紙をセット可能であり、請求書及び領収書６１を発行する際には、ロール紙からレシート用紙を引き出す搬送部と、請求書及び領収書の内容を印字する印刷部を備える。
【００５４】
カウンタ入金装置６は、制御部、記録部、通信ＩＦ、ボタン入力ＩＦ、ビルバリ、ＣＣＤカメラ、各搬送機構、モニタ、ロール紙の印刷部及び搬送部の各部と接続され、制御部からの命令をこれら各部が実行する。
【００５５】
カウンタ入金装置６の制御部は、チェックアウトした客がＱＲコード部２５をＱＲコード挿入口に挿入されたことを検知すると、ＣＣＤカメラによってＱＲコードを読み取るよう指令し、読み取ったＱＲコードをＩＤ情報に変換してルーム管理装置５に、現在の図４で示す運用設定した各度数を送信するよう指令する。カウンタ入金装置６の制御部は、ルーム管理装置５から通信ＩＦを介して受けた各度数と、現在選択されているサービス名とそのサービスが選択中か非選択かを選択中表示ＩＦを介してモニタに表示するとともに「新たなサービスを追加選択する場合にはその「サービス名」を押してください。選択するサービスがなければ「終了」ボタンを押してください。精算する場合には「精算」ボタンを押してください。」と表示する。そこでボタン入力ＩＦを介して制御部が「新たなサービス名」が選択されたことを検知すると「現金を投入してください」と表示ＩＦを介して表示し、入金待ちとなる。
【００５６】
カウンタ入金装置６の制御部は、入金処理として、入金口への現金挿入を検知すると、ビルバリを作動させて入金分の現金を識別し、識別ＯＫなら入金ストッカーに搬送機構に指示して入金ストッカーに搬送し、識別ＮＧなら入金口へ搬送機構に指示して搬送させる。ここで他の入金処理として、登録装置２において、手渡しの現金、または、クレジットカードやデビットカードによる現金、の入金を受けた場合には登録コンピュータ２１より選択されたサービスについての入金分の度数を加算するよう、またはビルバリによる識別ＯＫの場合には、ルーム管理装置５へ入金分の度数の加算するよう、ＩＤ情報と共に入金額に対応した金額情報（度数、通貨として円等）を、通信ＩＦを介して送信し、ルーム管理装置５から入金分の度数が加算されて選択された各サービスに対応する各度数を、表示ＩＦを介して表示させる。
【００５７】
またカウンタ入金装置６の制御部は、精算処理として、タッチパネル式モニタにおいて「精算」ボタンが押されたことを、ボタン入力ＩＦを介して検知すると、全てのサービスに対応したプラスの残度数分の現金を返金するべく、現金収納庫からの現金を搬送機構に指示して搬送させて返金口から返金させ、請求書及び領収書６１を発行する。なお、宿泊料金分の度数については、チェックアウト時の時刻に応じて、違約金やこれまでの宿泊料金を差し引いた残度数分が、同様に返金させる。なお、宿泊料金については図４で設定した運用設定において、利用不可能な度数として設定されているケースが多い。また、各サービスに対応した度数の合計がマイナスであれば、各サービスに対応したマイナス分の度数の合計金額をその金額を入金してくださいの文字を、表示ＩＦを介して表示するとともに入金待ちとし、その後上記同様の入金処理を行い、釣銭があれば、返金口より上記同様返金させ、請求書及び領収書６１を発行する。なお、請求書及び領収書６１は、各種サービスを分けて複数の請求書及び領収書として発行できるようにしてもよい。この場合には、上記選択されたサービス名と、各サービスに対応した度数と、選択、非選択を並べて表示する際、更に並べて本、別１、別２、・・・と客が選択できるようにし、本請求書及び領収書、別１の請求書及び領収書、別２の請求書及び領収書として、発行可能にする。
【００５８】
フロア管理装置８、８１、８２、・・・について説明する。ドアに設けられる記録媒体式施解錠装置７１は、稼動するドアに有線によって配線工事すると工事費が高くなったり、ドアが稼動して人が出入りするためドアと壁面間に露出した有線部分の耐久性が問題となる。このためフロア管理装置８、８１、８２は、記録媒体式施解錠装置７１と無線通信する構成とすることが望ましい。ところが、異なる階においては電波を鉄筋や鉄骨が吸収し通信できないため、少なくとも各階に１台は配置されることが望ましく、さらには無線通信の電波検知有効エリア内に配置されることが望ましい。
【００５９】
フロア管理装置８、８１、８２、・・・は、ＣＰＵとプログラムを記録したＲＯＭ、ダウンロードしたプログラムの一部を格納し、演算結果を一時格納するＲＡＭからなる制御部、記録媒体式施解錠装置７１と無線通信する無線通信部、ルーム管理装置５と通信するための有線または無線による高速通信部、これらに電源を供給する電源部からなる。各部屋に配置される記録媒体式施解錠装置７１からの情報を無線通信部から随時受けて、ルーム管理装置５と高速通信部を介して高速に定期的に通信し、記録媒体式施解錠装置７１からの情報、ルーム管理装置５からの情報を、それぞれ、ルーム管理装置５、記録媒体施解錠装置７１へ中継して送信する。
【００６０】
テナント端末１１について説明する。テナント端末１１は、ホテル内のレストラン、イベント会場に設置されるもので、レストランの場合には無線式可搬型端末であり、イベント会場の場合には入口に配置される固定式端末であり、ＱＲコード部２５のＱＲコードを読み取るＣＣＤカメラを内蔵し、ＱＲコードを翳すと制御部がＣＣＤカメラの撮影した映像情報をＩＤ情報に変換する。テナント端末１１は、ＣＰＵとプログラムを記録したＲＯＭ、ダウンロードしたプログラムの一部を格納し、演算結果を一時格納するＲＡＭからなる制御部、ルーム管理装置５と通信するための無線通信部からなる。テナント端末１１が固定式端末の場合、テナント毎に客がテナントに滞在した滞在時間に応じて度数を引き落とす従量課金制と、１回受け付けるとそのテナントのイベントが受けられるも入場料徴収制を選択可能である。また無線式可搬型端末の場合、レストラン等で用いられ、オーダー課金制をとる。
【００６１】
テナント端末１１は、レストラン等の場合、オーダー課金制であり、店員がオーダーを受けると、ＱＲコード部２５を客から受けて翳し、注文毎の値段に対応した度数を引き落とすよう引き落とし度数情報と、ＩＤ情報をルーム管理装置５に送信する。ルーム管理装置５は、通信ＩＦが受信したＩＤ情報に基づいて記憶部に記録される該当度数（図５の運用設定で設定された度数のうち起動した有料サービスに対応する度数）が引き落とし可能であれば注文ＯＫを返し、該当度数（図５の運用設定で設定された度数のうち起動した有料サービスに対応する度数）から引き落とし度数を引き落とす。テナント端末装置１１は、ルーム管理装置５から注文ＯＫを受信すると「注文ＯＫ」と表示する。
【００６２】
テナント端末１１が、固定式端末の場合であって入場料課金制を採用する場合、そのテナントの入口において客から受けたＱＲコード部２５を店員がテナント端末１１に翳し、人数を入力して確定ボタンを押すと、人数に入場料を乗じた額に対応した度数を引き落とすよう引き落とし度数情報と、ＩＤ情報をルーム管理装置５に送信する。ルーム管理装置５は、通信ＩＦが受信したＩＤ情報に基づいて記憶部に記録される該当度数（図５の運用設定で設定された度数のうち起動した有料サービスに対応する度数）が引き落とし可能であれば入場ＯＫを返し、該当度数（図５の運用設定で設定された度数のうち起動した有料サービスに対応する度数）から引き落とし度数を引き落とす。テナント端末装置１１は、ルーム管理装置５から入場ＯＫを受信すると「入場ＯＫ」と表示する。
【００６３】
テナント端末１１が、固定式端末の場合であって従量課金制を採用する場合、そのテナントの入口において客から受けたＱＲコード部２５を店員がテナント端末１１に翳し、人数を入力して確定ボタンを押すと、経過時間に入場した人数に対応した度数の引き落とし開始情報と、ＩＤ情報をルーム管理装置５に送信する。ルーム管理装置５は、通信ＩＦが受信したＩＤ情報に基づいて記憶部に記録される該当度数（図５の運用設定で設定された度数のうち起動した有料サービスに対応する度数）が引き落とし可能であれば入場ＯＫを返し、該当度数（図５の運用設定で設定された度数のうち起動した有料サービスに対応する度数）から経過時間毎に対応する度数に入場人数を状態額分の度数を引き落とす。テナント端末装置１１は、ルーム管理装置５から入場ＯＫを受信すると「入場ＯＫ」と表示する。客がそのテナントから退場する際には、テナントの入口において客から受けたＱＲコード部２５を店員がテナント端末１１に翳し、退場する人数を入力して確定ボタンを押すと、読み取ったＩＤ情報と退場人数をルーム管理装置５に無線通信部を介して送信する。ルーム管理装置５は、通信ＩＦが受信した退場人数をＩＤ情報に基づいて読み出した元の人数から減算し、これ以降、該当度数（図５の運用設定で設定された度数のうち起動した有料サービスに対応する度数）から経過時間毎に対応する度数に入場人数を状態額分の度数を引き落とす。
【００６４】
フロア入金受付装置９について説明する。フロア入金受付装置９は、上記カウンタ入金装置６の返金口、現金収納庫、現金収納庫から返金口の間の搬送機構、レシート発行口、ロール紙受け、及びロール紙搬送部、がないものであり、上記入金処理のみ可能であり、精算処理ができない点が上記カウンタ入金装置６と異なる。フロア入金受付装置９は、客が滞在中に、所望のサービスを受けるために入金するのに、わざわざ１Ｆ等にあるカウンタのカウンタ入金装置６まで行かなくても入金して度数の加算ができるようにしたものである。
【００６５】
次に客室に設けられる客室制御システム７、客室制御システム７を構成する記録媒体式施解錠装置７１、ＴＶ７２、ＴＶコントローラ７３、エアコン、及び冷蔵庫等を説明する。
【００６６】
記録媒体式施解錠装置７１は、図６（ドア内部の断面イメージ図）に示す如く、ドア内部に下記構成を備える。その内部の構成として、ＣＰＵと演算結果を一時記憶したり、プログラムを記憶する為のＲＡＭ（ルーム管理装置５が外部サーバから受信したものを、フロア管理装置８を介してダウンロードしたプログラムを記憶する）と電源ＯＮで起動される割込み処理（例えばノンマスカラブルインターラプト端子に電源ＯＮ時の電源信号立ち上りをワンショットパルスに変換して入力する）によって実行される初期プログラムを格納したＲＯＭ等からなる制御部７１１、表示部７１３、内部表示部７２２、錠機構部７１６、電源部７１２（制御部７１１やＣＣＤカメラ７１４等への電力供給。外部からの無線による交流波信号を電力に変換して整流し例えば電気２重層コンデンサ等の大容量コンデンサに電力を貯える充電部８１０を含む。）、制御部７１１と通信可能に接続されたＣＣＤカメラ７１４、制御部７１１と通信可能に接続され、制御と外部の例えばルーム管理装置５とデータ通信するための無線通信部７１５、制御部７１１と通信可能に接続され、施解錠するデッドボルト８００を進退させる電気的駆動手段（例えばソレノイド）を有する錠機構部７１６を備える。
【００６７】
制御部７１１は、錠機構部７１６に対し、錠機構部７１６の有するソレノイドへ施錠、または解錠する指示信号を出力し、錠機構部７１６から施錠状態にあるか解錠状態にあるかの信号（例えば、光学式センタ（投光部と受光部）により錠のデッドボルト８００の内側端部の位置を検知する。ロックがかかりドアが開かない状態の場合デッドボルト８００の外側端部が外側に突出するのでデッドボルト８００の内側端部は存在しないことから光学式センサは透過し、反対にロックがかかっていないドアが開く状態の場合デッドボルト８００の外側端部が内側に退去しているのでデッドボルト８００の内側端部は存在し光学式センサは透過しない）を入力する。また無線通信部７１５は、室内のＴＶコントローラ７３、エアコン、及び冷蔵庫等と通信可能に構成される。
【００６８】
また記録媒体式施解錠装置７１は、室外のドア外面に入室中表示、清掃指示、点検指示、ドンデス（Ｄｏｎ‘ｔ  Ｄｉｓｔｕｒｂ：起こさないで）表示等を表示する表示部７１３を備え、室外から中間の錠機構部７１６を介して室内側の握玉７１８へ一体的に連動して作動し、ドアを開閉するためのラッチボルト８０２を、壁面側の受座８０１へ進退させる外側握玉７１９を備え、錠機構部７１６に作用し錠のロックを外すことが可能なマスターキーシリンダ７２０を備え、室外からのドリル穴やドアと壁面間から違法に挿入されるサムターン回し機器をロック解除サムターン７１７へ接触させることを防止するカバー付であって錠機構部７１６の錠のロックを室内側から外すことが可能なロック解除サムターン７１７を備え、押すと表示部７１３におけるドンデス表示させるためのドンデスボタン７２３を備え、ＱＲコード部２５を室内及び室外から挿入可能であり、１台のみのＣＣＤカメラで写すことが可能な位置に導くためのカードガイド７１７を備え、有料ＴＶ等のサービス毎に設定され複数の有料サービス実行開始を指示する指示ボタン７２１（指示入力手段）を備え、及び室内側から宿泊客のサービス指定状況や本記録媒体式施解錠装置７１の操作の各段階に従った操作方法のガイドを表示する内側表示部７２２を備える。なお、カードガイド７１７は、客室内側に複数の挿入口を備え、ＱＲコード部２５を複数受け入れられるようにしてもよい。この場合、各カードガイド７１７に対応してＣＣＤカメラは複数備えるようにしてもよいが、ＣＣＤカメラ７１４を移動させて１のＣＣＤカメラで複数のカードガイド７１７に挿入された記録媒体のＱＲコードを撮像するようにしてもよい。またロック解除サムターン７１７を捻ることで、及びマスターキーシリンダ７２０にマスターキーを挿入して捻ることで強制的に錠機構部７１６の解錠、及び施錠が可能である。
【００６９】
また記録媒体式施解錠装置７１の制御部７１１は、上記構成に加え、記録部としてハードディスク及びバックアップＲＡＭ（例えば停電後１年間はデータを保持する）からなる記憶部、無線通信部との通信ＩＦ、７２３、７２１等のボタンが押されたことを検知するためのボタン入力ＩＦ、表示部７１３、内側表示部７２２に表示させるための表示ＩＦ、ＣＣＤカメラ７１４を制御して写真を取らせたりその写真のＱＲコードをＩＤ情報等の文字情報に変換するためのＱＲ制御部を備える。
【００７０】
図６において、ＣＣＤカメラ７１４（第１の記録媒体読取手段であり、かつ第２の記録媒体読取手段である。即ち共通の読取手段である。）は、ドア内に記録媒体式施解錠装置７１の筐体（筐体はドア内に固定されている）に固定される。またＱＲコード部２５をドアの外（廊下側であり図６における向かって右側）側から挿入し、カードガイド７１７に案内されてＱＲコード２５の挿入先端部がカードガイド７１７の奥端部に達すると、ＱＲコード２５１を撮像可能な位置に位置する。ＱＲコード２５は、挿入先端部がカードガイド７１７の奥端部に達した状態で、挿入後端部はドアの外側に露出し、ＱＲコード２５の挿入先端部と挿入後端部の間で折れ曲がるようにカードガイド７１７は形成される。このためＱＲコード２５がカードガイド７１７から外れて落ちてしまうことはない。またＣＣＤカメラ７１４は、ＱＲコード部２５をドアの内（客室側であり図６における向かって左側）側から挿入し、カードガイド７１７に案内されてＱＲコード２５の挿入先端部がカードガイド７１７の奥端部に達すると、ＱＲコード２５１が撮像可能な位置に位置する。なおここでＣＣＤカメラ７１４が上下に隣接して挿入されたドアの内側からのＱＲコード２５とドア外側からのＱＲコード２５を鮮明に撮像可能なように自動焦点調整を行うよう構成させてもよい。
【００７１】
カードガイド７１７は、ドアの外から挿入されたＱＲコード部２５がＣＣＤカメラ７１４に近く、ドアの内から挿入されたＱＲコード部２５がＣＣＤカメラ７１４に遠いように形成される。このようにすると、ホテルの同一の客室に複数の客が宿泊する場合、他の客の記録媒体を部屋の内から挿入した状態で在室信号を外部に出力し続けることができるとともに、共通の読み取り手段が外から新たに挿入した記録媒体を内から挿入される記録媒体に邪魔されることなく読み取り可能であるので、客の一人が客室から退室する際施錠したり、退室後再び入室する際、解錠することが可能となる。
【００７２】
またカードガイド７１７は、ドアの外から挿入されたＱＲコード部２５と、ドアの内から挿入されたＱＲコード２５の間に仕切り（図示しない）を備える。仕切りは、板状であってＣＣＤカメラ７１４がドアの外から挿入されたＱＲコード部２５とドアの内から挿入されたＱＲコード部２５を撮像可能な孔を備える。この仕切りによって、泥棒などが部屋の外側から部屋の内側にある記録媒体を抜き取ることを防止できる。この仕切りがないと、泥棒は部屋の外側から部屋の内側にある記録媒体を抜き取ることができ、例えば記録媒体がＱＲコードやバーコードなどの画像を識別して施解錠する場合、これらＱＲコードやバーコードをコピー機でコピーして、その客室に侵入することができるので危険である。
【００７３】
なおカードガイド７１７をドア外側からのＱＲコード２５挿入用と、ドア内側からのＱＲコード２５挿入用と２つ備え、ＣＣＤカメラ７１４はＱＲコード２５１を撮像可能な位置に必要に応じて所定の軌道上を回転と移動を行うように構成させてもよい。また、ＣＣＤカメラの向きを室内側や室外側に向けるためのＣＣＤカメラ移動機構と通信可能に接続され、制御するカメラ移動機構ＩＦからなる。カメラ移動機構は、移動中にブレが生じないようレール等の所定の軌道に沿って移動させるようにしてもよい。
【００７４】
なおカードガイド７１７のドアの内側と外側に形成される挿入口をそれぞれドアの中央に向かって上下方向に幅広から徐々に幅狭に形成し、ドア外面付近に設けられたドア外面に沿って水平方向に回転自在とする回転軸を設け、カードガイド７１７のドア内部側を回転自在に構成し、ドア中央部付近でカードガイド７１７のカード挿入方向に対して長く形成された長穴で、ドアの内側からのカードガイド７１７とドアの外側からのカードガイド７１７を留めるように形成してもよい。この場合ＣＣＤカメラ７１４はドアの内側からのカードガイド７１７またはドアの外側からのカードガイド７１７の挿入方向に対し垂直にＱＲコード２５１を撮像可能な位置に位置するように形成するとよい。このように形成することでドアの厚みによらず、本記録媒体式施解錠装置７１をドアに取り付けることができる。
【００７５】
次に記録媒体式施解錠装置７１についての動作を説明する。図７（記録媒体式施解錠装置７１のフローチャート）示す如く、プログラムは電源ＯＮで起動される割込み処理（例えばノンマスカラブルインターラプト端子に電源ＯＮ時の電源信号立ち上りをワンショットパルスに変換して入力する）によってＲＯＭから１ステップずつクロック入力に同期して初期プログラムを読み出して自己診断や初期設定を行い、初期プログラムを終了すると下記ＢＧＪを実行する。以下図７の制御フローチャートに沿って説明する。この例では、記録媒体式施解錠装置７１の割込み処理がなされないときに実行される所謂ＢＧＪ（バックグランドジョブ）によって実行される。図７中のスタートはリターンで再び実行されるプログラムの基点となり、スタートからリターン迄を繰り返し実行する。
【００７６】
まず記録媒体式施解錠装置７１の制御部は、ステップ７５１において、ＱＲ制御部に指令し、ＣＣＤカメラ７１４と通信してＱＲコード部に印字されたＱＲコードの画像データを読み込む。するとＱＲ制御部は、読み込んだ画像データをダウンロードしたデータを記憶した記憶部のＲＡＭの変換データに従い文字データに変換する。
【００７７】
そこで文字データに変換できなければ画像を１８０度回転させて同様に文字データに変換できるかを確認する。ＱＲコードはＱＲコード部２５に対しカードガイド挿入方向側に中央からややずれた位置であり挿入方向に対し左右対称の位置に印字され、ドアの内側と外側の両方向からカードガイド７１７に沿って挿入するとＱＲコード２５の挿入方向端部がカードガイド７１７の挿入方向奥側のストッパに当接してちょうどＱＲコードがＣＣＤカメラで撮影可能な位置で止まるので、画像を１８０度回転させて文字情報に変換することができる。
【００７８】
画像を回転させない状態で文字情報に変換されたときにはドア外側からの挿入と識別可能であり、画像を１８０度回転させて文字情報に変換されたときにはドア内側からの挿入と識別可能である。また制御部は、他のデータの読み取りとしては、無線通信部を介して、フロア管理装置８、８１、８２、・・・を介してルーム管理装置５からの情報を読み取り、内側表示部７２２の外面に配置された指示ボタン７２１をボタン入力ＩＦを介して読み取り、冷蔵庫内の飲料が抜き取られたか否かの情報を、無線通信部を介して読み取り、ＴＶコントローラ７３から無線通信部を介して有料ＴＶの課金額を読み取り、を実行する（ステップ７５１、「記録媒体読取手段」として例示）。
【００７９】
次いで、記録媒体式施解錠装置７１の制御部は、ステップ７５２において、読みとった画像情報がないか、ＱＲコードか否かを判断し、ＱＲコードでない場合または画像情報がない場合には、客不在の旨の情報をＩＤ情報、客室番号とともにルーム管理装置５に無線通信部７１５を介して出力し（「記録媒体から読みとった情報が偽である場合または情報が読み取れない場合、所要の処理として不在信号を出力する不在出力手段」として例示）、スタートに戻る。またＱＲコードである場合には、ステップ７５３を実行する（ステップ７５２、「記録媒体読取手段によって読み取った情報に基づいて」の例として例示）。
【００８０】
次いで、記録媒体式施解錠装置７１の制御部は、ステップ７５３において、読み取ったＱＲコードをＩＤ情報（詳細には文字情報）に変換して、ルーム管理装置５にフロア管理装置８、８１、８２、・・・のいずれかを介して送信する（ステップ７５２、「記録媒体読取手段によって読み取った情報に基づいて」の例として例示）。
【００８１】
次いで、記録媒体式施解錠装置７１の制御部は、ステップ７５４において、ルーム管理装置５からのフロア管理装置８、８１、８２、・・・のいずれかを介して、無線通信部が受信した、ＩＤ情報が正規のものであるかいなかの認証情報に基づいて、認証ＮＧであればスタートに戻り、認証ＯＫであればステップ７５６を実行する（ステップ７５４、「記録媒体読取手段によって読み取った情報に基づいて」の例として例示）。
【００８２】
次いで、記録媒体式施解錠装置７１の制御部は、ステップ７５６において、ステップ７５１によって読み込んだＱＲコードの方向より、ＱＲコード部２５がドアの外側からの挿入なのか内側からの挿入なのかを判定する。外からの挿入の場合ステップ７５７へ移行し、内からの挿入の場合ステップ７５６へ移行する（ステップ７５６、「記録媒体読取手段によって読み取った情報に基づいて」の例として例示）。
【００８３】
次いで、記録媒体式施解錠装置７１の制御部は、ステップ７５７からステップ７７２において、ＱＲコード部２５が外からの挿入であるので施錠または解錠する。ステップ７５７においては、現在の鍵の状態を錠機構部７１６からの情報に基づいて判断する。現在の鍵の状態が施錠状態であればステップ７５８へ、解錠状態であればステップ７７３へ移行する（ステップ７５７）。
【００８４】
次いで、記録媒体式施解錠装置７１の制御部は、ステップ７５７の判定で鍵の状態が施錠状態であるなら、ステップ７５８において、読み取ったＱＲコードから変換したＩＤ情報が客用であればステップ７６１に移行し、ＩＤ情報が清掃員用であればステップ７６０に行こうし、ＩＤ情報が点検員用であればステップＳ７５９に移行する（ステップ７５８、「記録媒体読取手段によって読み取った情報に基づいて」の例として例示）。またここでＩＤ情報がマスターキーなら無条件で解錠してリターンしスタートに戻る。
【００８５】
次いで、記録媒体式施解錠装置７１の制御部は、ステップ７５８の判定で客用と判定されたなら、ステップ７６１において、点検作業が終了し、他の客付けもなされていない客室である状態である、客待ち中か否かを判定し、客待ち中であればステップ７７１に移行し、客待ち中でなければ、その客室には未だ入室してはいけない状態であるので何もしないでリターンし、スタートに戻る（ステップ７６１、「記録媒体読取手段によって読み取った情報に基づいて」の例として例示）。
【００８６】
次いで、記録媒体式施解錠装置７１の制御部は、ステップ７７１において、錠機構部７１６へ解錠指示し、無線通信部７１５を介してエアコンＯＮ、電灯ＯＮを指示する（ステップ７７１、「施解錠手段」の例として例示）。その後リターンしスタートに戻る。
【００８７】
記録媒体式施解錠装置７１の制御部は、ステップ７５８の判定で清掃員用と判定されたなら、ステップ７６０において、記憶部から在室情報を読み出して客が不在中か否かを判定し、不在中であれば（図７ステップＳ７６０のＹＥＳ）ステップ７７０に移行し、在室中であれば（Ｎｏ）解錠しないでリターンしてスタートに戻る。なお客が不在中か在室中かの在室情報についての設定は後程ステップ７８４で説明する（ステップ７６０、「記録媒体読取手段によって読み取った情報に基づいて」の例として例示）。
【００８８】
記録媒体式施解錠装置７１の制御部は、ステップ７６０の判定で不在中（ＹＥＳ）と判定された場合に、ステップ７７０において、錠機構部７１６へ解錠指示し、無線通信部７１５を介してエアコンＯＮ、電灯ＯＮを指示し、さらにＩＤ情報、客室番号、清掃中信号出力を、ルーム管理装置５へ無線通信部７１５を介して送信し、表示部７１３に清掃中のランプを点灯させる信号を出力する（ステップ７７０、「施解錠手段」の例として例示）（「清掃中指示出力手段」の例として例示）。ルーム管理装置５ではこれら情報を受けて、客室番号に基づいてどの部屋が清掃中か、及び従業員を特定するＩＤ情報によってその従業員が行った清掃を履歴情報として定期（例えば月次）集計可能に記憶部に記憶する。その後リターンしスタートに戻る。
【００８９】
記録媒体式施解錠装置７１の制御部は、ステップ７５８の判定で点検員用と判定されたなら、ステップ７５９において、記憶部から在室情報、及び点検依頼中か否かを示す情報を読み出して客が不在中であってかつ点検依頼中かを判定し、ＹＥＳであれば（図７ステップ７５９のＹＥＳ）ステップ７７２に移行し、そうでなければ（ステップ７５９のＮＯ）解錠しないでリターンしてスタートに戻る。なお客が不在中か在室中かの在室情報についての設定は後程ステップ７８４で説明し、点検依頼中か否かを示す情報の設定は後程ステップ７７６で説明する（ステップ７５８、「記録媒体読取手段によって読み取った情報に基づいて」の例として例示）。
【００９０】
記録媒体式施解錠装置７１の制御部は、ステップ７５９の判定で点検依頼中であって客不在中（ＹＥＳ）と判定された場合に、ステップ７７２において、錠機構部７１６へ解錠指示し、無線通信部７１５を介してエアコンＯＮ、電灯ＯＮを指示する（ステップ７７２、「施解錠手段」の例として例示）。その後リターンしスタートに戻る。
【００９１】
記録媒体式施解錠装置７１の制御部は、ステップ７５７の判定で解錠と判定された場合、ステップ７７３において、錠機構部７１６に施錠する旨の信号を出力し、無線通信部７１５を介して、エアコンＯＦＦ及び電灯ＯＦＦとし、不在の旨の情報をＩＤ情報、客室番号とともにルーム管理装置５に無線通信部７１５を介して出し、その他の各種サービス及び各種有料サービスを終了する。次いでステップ７７４に移行する（「所要の処理として部屋内の電気機器の電源をＯＦＦとする」例として例示）。
【００９２】
記録媒体式施解錠装置７１の制御部は、ステップ７７４において、ステップ７５８と同様ＱＲコード部２５の種別を判定し、点検員用であればステップ７６２を実行し、点検完了の旨の情報をＩＤ情報、客室番号とともにルーム管理装置５に無線通信部７１５を介して出力する（ステップ７６２、「清掃完了指示出力手段」の例として例示）。またステップ７７４において、ＱＲコード部２５の種別を判定し、清掃員用であればステップ７７６を実行し、点検依頼の旨の情報をＩＤ情報、客室番号とともにルーム管理装置５に無線通信部７１５を介して出力する（ステップ７７６）。またまたステップ７７４において、ＱＲコード部２５の種別を判定し、客用であればステップ７７５を実行し、客不在の旨の情報をＩＤ情報、客室番号とともにルーム管理装置５に無線通信部７１５を介して出力し、かつその客がチェックアウトすべき時間（ルーム管理装置５に指示して送信した情報を受信した情報）か否かを判定し、精算合計処理の許可を通信ＩＦを介してルーム管理装置５へ送信する（ステップ７７５）。
【００９３】
また記録媒体式施解錠装置７１の制御部は、ステップ７５６の判定でＱＲコード部２５の挿入方向が内からの場合、ステップ７７７において、鍵の状態を錠機構部７１６から請け施錠状態にある場合はステップ７７９へ移行し、解錠状態にある場合には、ステップ７７８において、ロックをかけるべく錠機構部７１６に指示信号を出力して施錠する。（ステップ７７８、「施解錠手段」の例として例示）（「複数種の指示を出力する指示出力手段」の１の指示として例示）。但し、ＱＲコード部２５を内から挿入した状態で、ロック解除サムターン７１７を回してロックすることもそのロックを解除することもできる。これは同一の客室に複数の客が滞在する場合、１名が客室に残った状態で他の同室者が客室外に出る場合に対応できるようにしたものである。
【００９４】
記録媒体式施解錠装置７１の制御部は、ステップ７７９において、ステップ７５１にて読み込んだＱＲコードの読み取りにより、ステップ７５８と同様の判定を行い、ＱＲコード部２５が客用なのか、点検員用なのか、清掃員用なのかに応じて、それぞれ、ステップ７８２、ステップ７８０、ステップ７８１に移行する（ステップ７７９、「第２の記録媒体読取手段による読み取りに起因して」の例として例示）。
【００９５】
記録媒体式施解錠装置７１の制御部は、ステップ７８０においてはＩＤ情報と点検中である旨の情報と客室番号を、ルーム管理装置５に無線通信部７１５を介して出力するとともに表示部７１３、内側表示部７２２に点検中である旨を表示するべく表示ＩＦを介して出力する（ステップ７８０、「施解錠以外の所要の処理を行う処理手段」の例として例示）（「複数種の指示を出力する指示出力手段」の１の指示として例示）。ルーム管理装置５ではこれら情報を受けて、客室番号に基づいてどの部屋が点検中か、及び従業員を特定するＩＤ情報によってその従業員が行った点検を履歴情報として定期（例えば月次）集計可能に記憶部に記憶する。
【００９６】
記録媒体式施解錠装置７１の制御部は、ステップ７８１においてはＩＤ情報と清掃中である旨の情報と客室番号を、ルーム管理装置５に無線通信部７１５を介して出力するとともに表示部７１３、内側表示部７２２に点検中である旨を表示するべく表示ＩＦを介して出力する（ステップ７８１、「施解錠以外の所要の処理を行う処理手段」の例として例示）（「複数種の指示を出力する指示出力手段」の１の指示として例示）（「清掃中指示出力手段」の例として例示）。なお、ステップ７７０において清掃中と既に表示してあるので、清掃員はドアの内側からＱＲコード部２５をカードガイド７１７に挿入する必要はない。これは清掃員が客室を清掃する際、複数の客室のドアを開けたままで、同じ清掃用具（電気掃除機、モップ、シーツ、タオル）を持って順次行き来するのに、ドアをいちいち開けたり閉めたりしていては作業効率が悪いためのである。ルーム管理装置５ではこれら情報を受けて、客室番号に基づいてどの部屋が清掃中か、及び従業員を特定するＩＤ情報によってその従業員が行った清掃を履歴情報として定期（例えば月次）集計可能に記憶部に記憶する。
【００９７】
記録媒体式施解錠装置７１の制御部は、ステップ７８２において、客用のＱＲコード部２５が挿入されている場合であって指示ボタン７２１で指定される場合か（「読み取りに起因するとともに所定の操作に起因して施解錠以外の所要の処理を行う処理手段」の例として例示）（「指示入力手段」の例として例示）、または予めチェックイン時等においてチェックイン情報として登録した有料サービスによって指令される有料サービスを、例えばＴＶコントローラ７３を介してＴＶ７２で有料ＴＶを見る場合、における有料サービス起動した場合（ステップ７８２の判定でＹＥＳ）、ステップ７８３に移行し、ステップ７８３においては、ルーム管理装置５に無線通信部７１５を介して有料サービス分の該当度数（図５の運用設定で設定された度数のうち起動した有料サービスに対応する度数）の引き落としを指示する旨の情報とＩＤ情報と客室番号の送信を行い（ステップ７８３、「施解錠以外の所要の処理を行う処理手段」の例として例示）（「複数種の指示を出力する指示出力手段」の１の指示として例示）、ステップ７８４に移行する。ステップ７８２において有料サービスが起動されていない場合には、ステップ７８４に移行する。
【００９８】
記録媒体式施解錠装置７１の制御部は、ステップ７８４において、ＩＤ情報、客在室の旨の情報、客室番号を、ルーム管理装置５に無線通信部７１５を介して出力するとともに表示部７１３、内側表示部７２２に客在室である旨を表示するべく表示ＩＦを介して出力する（ステップ７８４、「施解錠以外の所要の処理を行う処理手段」の例として例示）（「複数種の指示を出力する指示出力手段」の１の指示として例示）。また同時に無料サービスとして、図５の運用設定において設定された有料指定Ａの「ｖ」が入力されなかったサービス、例えばインターネット接続許可をＴＶコントローラ７３（パソコンに接続するＬＡＮ端子を備え、外部インターネットに接続される。）に信号出力する。ルーム管理装置５ではこれら情報を受けて、客室番号に基づいてどの部屋が在室中か、及び客を特定するＩＤ情報によってその客の利用履歴情報として記録し、既述のデータマイニングや集計が可能なよう、記憶部に記憶する。
【００９９】
ステップ７８０、７８１、７８４に続いて、記録媒体式施解錠装置７１の制御部は、ステップ７８５において、上記した情報以外の必要な情報を外部に出力する。例えば、一例としてステップ７５１において読み込んだ内側表示の各種有料サービスの開始を指示するボタンを、ボタン入力ＩＦを介して読み込んだ場合、ここでルーム管理装置５に、ＩＤ情報と部屋番号と開始する有料サービスを特定するサービスＩＤ情報を、無線通信部７１５を介して出力するとともに、表示ＩＦを介して、内側表示部７２２に指定された有料サービスが開始された旨を表示する（ステップ７８５、施解錠以外の所要の処理を行う処理手段」の例として例示）。
【０１００】
なお、ステップ７８０、７８４における、それぞれ点検中である旨の情報、在室情報の出力は、カードガイド７１７からＱＲコード部２５のＱＲコードをＣＣＤカメラが認識する場合に限り（即ちカードガイド７１７にドアの内からＱＲコード２５が挿入する限り）出力するように構成してもよい。この場合、不在の旨の情報をＩＤ情報、客室番号とともにルーム管理装置５に無線通信部７１５を介して出し、その他の各種サービス及び各種有料サービスを終了する。（「所要の処理として部屋内の電気機器の電源をＯＦＦとする」例として例示）。
【０１０１】
このように構成する方が、客や点検員がＱＲコード２５をステップ７７３において外からカードガイド７１７に挿入し忘れて施錠しないで客室に誰もいなくなることを検知できないことを防止できる。さらにＱＲコード部２５をドアの内から引き抜いた際に、ステップ７７３においてエアコンＯＦＦ、電灯ＯＦＦとするのではなく、エアコン、ややディレー時間をおいて電灯（急に電灯ＯＦＦとした場合握玉７１８、ロック解除サムターン７１７がどこにあるのかわからなくなる）をＯＦＦとするように構成してもよい。このように構成する方が、客や点検員がＱＲコード２５をステップ７７３において外からカードガイド７１７に挿入し忘れて施錠しないで客室に誰もいなくなる場合においても電気代が節約できる（「在室出力手段」として例示）。
【０１０２】
なお、ＴＶ７２、ＴＶ７３は、ステップ７７１において電源ＯＮとすることができ、捨ステップ７７３、ステップ７５２でＮＯの場合には電源ＯＮとできないように構成される。ＴＶコントローラ７３は、ビデオゲーム機と同様ＴＶ７２のビデオ端子に、音声と映像情報を出力し、図５の運用設定、チェックイン情報で指定した有料ＴＶ視聴不可の情報、及び指示ボタン７２１による有料サービス開始に従い、有料ＴＶ、カラオケ、ゲーム等が提供する。これら有料サービスを提供する場合、それぞれの有料サービス指定情報、ＩＤ情報、客室番号を、記録媒体式施解錠装置７１からルーム管理装置５に送信して、ルーム管理装置５はこれら情報に基づいて、ＩＤ情報で指定される口座から有料サービス分の度数を引き落とす。
【０１０３】
次に、記録媒体式施解錠装置７１における電気回路及び機構について、図８（記録媒体式施解錠装置の電気回路及び機構ブロック図）に基づいて説明する。ドア内部に内蔵される錠機構部７１６は、充電部８１０（電源部７１２に含まれる）、ロック解除サムターン７１７、ロックするための鉄製（導電体であり導電性のある金属がよい）デッドボルト８００、ロック解除サムターン７１７からの手動駆動力をデッドボルト８００に伝達するサムターン駆動力伝達機構８１５、デッドボルト８００に誘電される電力をピックアップするためのコイル８０８、デッドボルト８００を施解錠するための自己保持型ソレノイド８１１、ロックしないでドアのラッチするラッチボルト８０２、握玉７１８、握玉７１８の手動駆動力をラッチボルト８０２に伝達する握玉駆動力伝達機構８１４、制御部７１１からなる。
【０１０４】
また、ドアが自己発電するための機構として、ドアを壁に回動可能に軸支する蝶番と、蝶番からの回転駆動力を所定の減速比で増速する回転力伝達機構８０６を介して得て充電部８１０に電力を供給するモータ８０３（自己発電の例）、ドアの外側外面に配置された太陽発電素子８０５（自己発電の例）、握玉７１８の回転駆動力を所定の減速比で増速する回転力伝達機構８０７、回転力伝達機構８０７からの回転力を得て充電部８１０に電力を供給するモータ８０４（自己発電の例）を備える。
【０１０５】
また、閉めた状態のドアについての回動端部側に対向する壁面に設けられるステンレス製の受座８０１は、ドアの錠機構部７１６から突出するデッドボルト８００及びラッチボルト８０２をドアが開かないよう係止する。また受座８０１には交流電源８１２から交流電力を受けて、ロック時に突出したデッドボルト８００（突出部の１例）を介して電磁誘導させるコイル８１２を備える（電磁誘導の例）。なお交流電源８１２では５０〜６０Ｈｚより高周波な交流電圧を供給し、電磁誘導の効率を上げて電源提供するようにしてもよい。この場合、例えば５０ＨｚＡＣ１００Ｖを整流してＤＣ電源とし、そのＤＣ電源をサイリスタのアノードに接続しゲートに１Ｋｚのクロックを入力し、カソードから１ＫｚのＯＮ−ＯＦＦ信号として出力するようにしてもよい。
【０１０６】
コイル８１２からのデッドボルト８００を経由して電磁誘導された交流波は、コイル８０８によってピックアップされ充電部８１０内の整流回路、フィルター回路を介して、充電可能な電池として機能する、電気２重層コンデンサに充電される。またモータ８０３、太陽発電素子８０５、モータ８０４からの電力も電気２重層コンデンサに充電される。（以後、交流電源８１２、コイル８１２、デッドボルト８００、コイル８０８、充電部８１０を介して充電することを第１充電手段と呼ぶ）
【０１０７】
デッドボルト８００は、ロック解除サムターン７１７からの駆動力を、サムターン駆動力伝達機構８１５を介して得ることと、自己保持型ソレノイド８１１からの駆動力を得ることと、マスターシリンダ７２０からの施解錠駆動力を得ることで壁側の受座８０１の方向に突出してドアを施錠したり、受座８０１の方向に突出した状態からドア側に退去してドアを解錠する。なお自己保持型ソレノイド８１１は、制御部７１１からプラス電圧を受けると突出して、その後０Ｖの電力となってもその状態を保持し、制御部７１１からマイナス電圧を受けると退去して、その後０Ｖの電力となってもその状態を保持するものである。この実施例では充電部８１０からの電力を、制御部７１１を介して自己保持型ソレノイド８１１へ提供する。
【０１０８】
また、交流電源８１２に電力線通信モジュールをつけて、当該電力線通信モジュールが重畳波を交流電圧に重畳させて、コイル８１３を介して制御部７１１と、外部の例えばルーム管理装置５の間、室内のＴＶコントローラ７３の間、エアコンの間、電灯の間、その他の記録媒体式施解錠装置７１に制御される電気機器との間、において通信制御させるようにしてもよい。
【０１０９】
また、この実施の形態では、交流電力をデッドボルト８００を介してドアが非接触に受けたが、デッドボルト以外の導電性のある金属部材（充電伝達部材）でドア外部からの電力を受けるようにしてもよい。ドアの回転軸側の端部に、充電伝達部材を配し、ドアの回動に際し邪魔にならない位置（例えば、ドアの開閉方向と反対側からドアの回動半径外のスペースに突出させる）壁からドア側に突出するようにしてもよい。このようにすれば、デッドボルト８００が壁側に突出した施錠状態でなくても充電することができる。
【０１１０】
また、充電手段における第２の実施の形態（以降第２充電手段と呼ぶ）を、図９、図１０に沿って説明する。図８における制御部７１１、握玉７１８、握玉駆動力伝達機構８１４、ラッチボルト８０２、充電部８１０、ロック解除サムターン７１７、サムターン駆動力伝達機構８１５、デッドボルト８００、自己保持型ソレノイド８１１、交流電源８１２を第２充電手段（図９）としても採用する。
【０１１１】
第２充電手段としては、上記第１充電手段におけるデッドボルト８００に変えてコの字状の鉄心９０２、９１０のそれぞれの中央部にコイル８１２、８０８を巻いたものを用いる。鉄心９０２、９１０は、コの字の両端間に耐摩耗性の高いエンジニアリングプラスチックである樹脂部９０６を備える。また鉄心９０２、９１０のコの字の両端部は外部に露出するので、角部が面取りまたはＲ取りがなされているが、極力鉄心９０２と９０１の対向する面が平面を為し接触した際の接触面積を増やすよう形成される。
【０１１２】
この実施の形態においては、鉄心９１０側がドアに固定され、鉄心９０２は、ドアが閉じられた際に鉄心９１０と接触するようにバネ９０３（伸縮手段）を介して壁からドア方向に突出する。バネ９０３の一端は鉄心９０２側、他端はチャンバー（空間の意味）９０１の奥側に固定され、バネ９０３によってドア方向に付勢されている。また鉄心９０２のコの字両端間に突出方向に長く形成された長穴９０５を備え、受座８０１に固定された貫通棒９０４が、鉄心９０２の突出方向と反対側の長穴９０５の端部に当接することで、バネ９０３の付勢力による外部への飛び出しを規制する。また受座８０１によって鉄心９０２は略所定の軌道で突出するようガイドされるが、受座８０１と鉄心９０２の間に若干の隙間を有している。
【０１１３】
このためドアと壁のドア枠の建て付けがわるくドアに対しドア枠が平行でない時でも、鉄心９０２の奥部側角部が、突出方向に対する上下方向及び左右方向に形成された隙間によっていずれかの方向に偏った位置に位置することができるので、鉄心９１０（電磁誘導可能材）と接触する際、９１０及び９０２の対向面の平面に沿って密着することができる。
【０１１４】
即ち、ドアとドア枠の間に１０ｍｍ程度の隙間が形成させるのが一般的であるが、上記の如く鉄心９１０と９０２が密着することで空間ロスのない磁気回路を形成することで、極めて高い充電効率とすることができる。第２充電手段としては、ドアが閉じられた際に、鉄心９１０に鉄心９０２が直接当接する形態をとるので極めて電磁誘導による充電部８１０の充電効率が高い。
【図面の簡単な説明】
【０１１５】
【図１】本発明の一実施形態における記録媒体式施解錠システムの構成を示すブロック図である。
【図２】登録カード２３の外観を示す図である。
【図３】登録カード２３の外観を示す図である。
【図４】チェックイン端末装置４の外観を示す図である。
【図５】ルーム管理装置５で設定する各サービス毎の運用設定時に表示される画面を示す説明図である。
【図６】本発明の一実施形態における記録媒体式施解錠装置におけるドア内部の断面イメージを示す説明図である。
【図７】本発明の一実施形態における記録媒体式施解錠装置における動作を示すフローチャート図である。
【図８】本発明の一実施形態における記録媒体式施解錠装置における電気回路及び機構ブロック図である。
【図９】本発明の一実施形態における記録媒体式施解錠装置における充電手段の第２実施形態ブロック図である。
【図１０】本発明の一実施形態における記録媒体式施解錠装置における充電手段の第２実施形態詳細説明図である。
【符号の説明】
【０１１６】
１・・・記録媒体式施解錠システム、２・・・登録装置、３・・・管理装置、４・・・チェックイン端末装置、５・・・ルーム管理装置、６・・・カウンタ入金装置、７・・・客室制御システム、７１・・・記録媒体式施解錠装置、８、８１、８２・・・フロア管理装置、９・・・フロア入金受付装置、１１・・・テナント端末、７１４・・・ＣＣＤカメラ、７１７・・・カードガイド、７１３・・・表示部、７２２・・・内部表示部、８００・・・デッドボルト、８０３、８０４・・・モータ、８１０・・・充電部、８１１・・・自己保持型ソレノイド
【図１】
2009162009.tif 000003
【図２】
2009162009.tif 000004
【図３】
2009162009.tif 000005
【図４】
2009162009.tif 000006
【図５】
2009162009.tif 000007
【図６】
2009162009.tif 000008
【図７】
2009162009.tif 000009
【図８】
2009162009.tif 000010
【図９】
2009162009.tif 000011
【図１０】
2009162009.tif 000012